(57)【要約】【課題】回路遮断機が３台以上並置されている場合であっても、そのうちの１台以外のレバーをＯＦＦ位置に鎖錠可能なロック装置を提供できることが望ましい。【解決手段】基台と、基台に対してスライド可能に取り付けられたスライド部材とを備え、スライド部材は、レバーのＯＦＦ位置からＯＮ位置への切替を防止するための少なくとも３つの突出部を有し、少なくとも３つの突出部のうち少なくとも１つは二又に構成されている、ロック装置を提供する。【選択図】図１
2019057379.tif 000002
【特許請求の範囲】
【請求項１】
基台と、
前記基台に対してスライド可能に取り付けられたスライド部材と
を備え、
前記スライド部材は、レバーのＯＦＦ位置からＯＮ位置への切替を防止するための少なくとも３つの突出部を有し、
前記少なくとも３つの突出部のうち少なくとも１つは二又に構成されている、
ロック装置。
【請求項２】
前記少なくとも３つの突出部は、第１突出部、第２突出部、及び二又に構成された第３突出部を含み、
前記スライド部材をスライドすることによって、
第１レバー、第２レバー、及び第３レバーのうち、前記第１レバーのみＯＮ位置とＯＦＦ位置との間の切替を可能とし、前記第２突出部及び前記第３突出部によって前記第２レバー及び前記第３レバーのＯＦＦ位置からＯＮ位置への切替を防止する第１状態と、
前記第１レバー、前記第２レバー、及び前記第３レバーのうち、前記第２レバーのみＯＮ位置とＯＦＦ位置との間の切替を可能とし、前記第１突出部及び前記第３突出部によって前記第１レバー及び前記第３レバーのＯＦＦ位置からＯＮ位置への切替を防止する第２状態と、
前記第１レバー、前記第２レバー、及び前記第３レバーのうち、前記第３レバーのみＯＮ位置とＯＦＦ位置との間の切替を可能とし、前記第１突出部及び前記第２突出部によって前記第１レバー及び前記第２レバーのＯＦＦ位置からＯＮ位置への切替を防止する第３状態とが切り替わる、請求項１に記載のロック装置。
【請求項３】
前記第３突出部の前記二又の間隔は、前記第３レバーの幅より広い、請求項２に記載のロック装置。
【請求項４】
前記第１突出部の幅は前記第１レバーの幅の２倍であり、前記第２状態及び前記第３状態において、前記第１突出部は、前記第１レバーの全幅に当接することによって前記第１レバーのＯＦＦ位置からＯＮ位置への切替を防止する、請求項２又は３に記載のロック装置。
【請求項５】
前記第１突出部の幅は前記第１レバーの幅と同一であり、前記第２状態及び前記第３状態において、前記第１突出部は、前記第１レバーの全幅の一部に当接することによって前記第１レバーのＯＦＦ位置からＯＮ位置への切替を防止する、請求項２又は３に記載のロック装置。
【請求項６】
前記第１突出部の幅は前記第１レバーの幅よりも狭く、前記第２状態及び前記第３状態において、前記第１突出部は、前記第１レバーの全幅の一部に当接することによって前記第１レバーのＯＦＦ位置からＯＮ位置への切替を防止する、請求項２又は３に記載のロック装置。
【請求項７】
前記第１レバー、前記第２レバー、及び前記第３レバーは、異なる系統の電源ブレーカのＯＮ／ＯＦＦを切り替えるレバーである、請求項２から６のいずれか一項に記載のロック装置。
【請求項８】
前記スライド部材は、前記基台に形成された開口から突き出すノブを有し、
前記基台は、前記開口から延びる第１窪み部、第２窪み部、及び第３窪み部を有し、
前記ロック装置は、前記ノブが前記第１窪み部に挿入されることによって前記第１状態となり、前記ノブが前記第２窪み部に挿入されることによって前記第２状態となり、前記ノブが前記第３窪み部に挿入されることによって前記第３状態となる、請求項２から７のいずれか一項に記載のロック装置。
【請求項９】
前記スライド部材は、前記少なくとも３つの突出部の間隔を変更可能に構成されている、請求項１から８のいずれか一項に記載のロック装置。
【請求項１０】
前記スライド部材が伸縮することによって、前記少なくとも３つの突出部の間隔が変化する、請求項９に記載のロック装置。
【請求項１１】
前記スライド部材は、前記少なくとも３つの突出部を分離して、前記スライド部材の異なる位置に結合可能に構成されている、請求項９に記載のロック装置。
【請求項１２】
前記少なくとも３つの突出部は、前記スライド部材から突出する方向に沿った長さが変更可能に構成されている、請求項１から１１のいずれか一項に記載のロック装置。
【請求項１３】
前記少なくとも３つの突出部は、前記スライド部材から突出する方向に伸縮することによって前記長さが変化する、請求項１２に記載のロック装置。
【請求項１４】
前記スライド部材は、前記少なくとも３つの突出部を分離して、前記少なくとも３つの突出部とは異なる長さの突出部を結合可能に構成されている、請求項１２に記載のロック装置。
【請求項１５】
前記少なくとも３つの突出部は、第１突出部、第２突出部、及び二又に構成された第３突出部を含み、
前記基台は、前記第１突出部と前記第２突出部との間で前記スライド部材を支持する第１基台と、前記第２突出部と前記第３突出部との間で前記スライド部材を支持する第２基台とを含む、請求項１に記載のロック装置。
【発明の詳細な説明】
【技術分野】
【０００１】
本発明は、ロック装置に関する。
【背景技術】
【０００２】
左右に並置した２台の回路遮断器のいずれか一方の回路遮断器のレバーをＯＦＦ位置に鎖錠するメカニカルインターロック装置が知られていた（例えば、特許文献１参照）。
［先行技術文献］
［特許文献］
［特許文献１］特開２００７−２３４４９５号公報
【発明の概要】
【発明が解決しようとする課題】
【０００３】
回路遮断器が３台以上並置されている場合であっても、そのうちの１台以外のレバーをＯＦＦ位置に鎖錠可能なロック装置を提供できることが望ましい。
【課題を解決するための手段】
【０００４】
本発明の第１の態様によれば、ロック装置が提供される。ロック装置は、基台を備えてよい。ロック装置は、基台に対してスライド可能に取り付けられたスライド部材を備えてよい。スライド部材は、レバーのＯＦＦ位置からＯＮ位置への切替を防止するための少なくとも３つの突出部を有してよい。少なくとも３つの突出部のうち少なくとも１つは二又に構成されていてよい。
【０００５】
上記少なくとも３つの突出部は、第１突出部、第２突出部、及び二又に構成された第３突出部を含んでよく、上記ロック装置は、上記スライド部材をスライドすることによって、第１レバー、第２レバー、及び第３レバーのうち、上記第１レバーのみＯＮ位置とＯＦＦ位置との間の切替を可能とし、上記第２突出部及び上記第３突出部によって上記第２レバー及び上記第３レバーのＯＦＦ位置からＯＮ位置への切替を防止する第１状態と、上記第１レバー、上記第２レバー、及び上記第３レバーのうち、上記第２レバーのみＯＮ位置とＯＦＦ位置との間の切替を可能とし、上記第１突出部及び上記第３突出部によって上記第１レバー及び上記第３レバーのＯＦＦ位置からＯＮ位置への切替を防止する第２状態と、上記第１レバー、上記第２レバー、及び上記第３レバーのうち、上記第３レバーのみＯＮ位置とＯＦＦ位置との間の切替を可能とし、上記第１突出部及び上記第２突出部によって上記第１レバー及び上記第２レバーのＯＦＦ位置からＯＮ位置への切替を防止する第３状態とが切り替わってよい。
【０００６】
上記第３突出部の上記二又の間隔は、上記第３レバーの幅より広くてよい。上記第１突出部の幅は上記第１レバーの幅の２倍であってよく、上記第２状態及び上記第３状態において、上記第１突出部は、上記第１レバーの全幅に当接することによって上記第１レバーのＯＦＦ位置からＯＮ位置への切替を防止してよい。上記第１突出部の幅は上記第１レバーの幅と同一であってよく、上記第２状態及び上記第３状態において、上記第１突出部は、上記第１レバーの全幅の一部に当接することによって上記第１レバーのＯＦＦ位置からＯＮ位置への切替を防止してよい。上記第１突出部の幅は上記第１レバーの幅よりも狭くてよく、上記第２状態及び上記第３状態において、上記第１突出部は、上記第１レバーの全幅の一部に当接することによって上記第１レバーのＯＦＦ位置からＯＮ位置への切替を防止してよい。
【０００７】
上記第１レバー、上記第２レバー、及び上記第３レバーは、異なる系統の電源ブレーカのＯＮ／ＯＦＦを切り替えるレバーであってよい。上記スライド部材は、上記基台に形成された開口から突き出すノブを有してよく、上記基台は、上記開口から延びる第１窪み部、第２窪み部、及び第３窪み部を有してよく、上記ロック装置は、上記ノブが上記第１窪み部に挿入されることによって上記第１状態となり、上記ノブが上記第２窪み部に挿入されることによって上記第２状態となり、上記ノブが上記第３窪み部に挿入されることによって上記第３状態となってよい。上記スライド部材は、上記少なくとも３つの突出部の間隔を変更可能に構成されていてよい。上記スライド部材が伸縮することによって、上記少なくとも３つの突出部の間隔が変化してよい。上記スライド部材は、上記少なくとも３つの突出部を分離して、上記スライド部材の異なる位置に結合可能に構成されていてよい。上記少なくとも３つの突出部は、上記スライド部材から突出する方向に沿った長さが変更可能に構成されていてよい。上記少なくとも３つの突出部は、上記スライド部材から突出する方向に伸縮することによって上記長さが変化してよい。上記スライド部材は、上記少なくとも３つの突出部を分離して、上記少なくとも３つの突出部とは異なる長さの突出部を結合可能に構成されていてよい。
【０００８】
上記少なくとも３つの突出部は、第１突出部、第２突出部、及び二又に構成された第３突出部を含んでよく、上記基台は、上記第１突出部と上記第２突出部との間で上記スライド部材を支持する第１基台と、上記第２突出部と上記第３突出部との間で上記スライド部材を支持する第２基台とを含んでよい。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】ロック装置１０の一例を概略的に示す。
【図２】ロック装置１０の一例を概略的に示す。
【図３】ロック装置１０の一例を概略的に示す。
【図４】ロック装置１０の他の一例を概略的に示す。
【図５】ロック装置１０の他の一例を概略的に示す。
【図６】ロック装置１０の他の一例を概略的に示す。
【図７】スライド部材１００の他の一例を概略的に示す。
【図８】スライド部材１００の他の一例を概略的に示す。
【図９】スライド部材１００の他の一例を概略的に示す。
【図１０】スライド部材１００の他の一例を概略的に示す。
【図１１】突出部１２０の他の一例を概略的に示す。
【図１２】突出部１２０の他の一例を概略的に示す。
【図１３】ロック装置１０の他の一例を概略的に示す。
【図１４】ロック装置１０の他の一例を概略的に示す。
【図１５】ロック装置１０の他の一例を概略的に示す。
【図１６】ロック装置１０の他の一例を概略的に示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１、図２、及び図３は、ロック装置１０の一例を概略的に示す。本実施形態に係るロック装置１０は、３つ以上のレバーのうちの１つ以外のレバーについて、ＯＦＦ位置からＯＮ位置への切替を防止する。例えば、ロック装置１０は、３つのレバーのうちの１つのみ、ＯＮ位置からＯＦＦ位置への切替を可能とし、残りの２つレバーのＯＦＦ位置からＯＮ位置への切替を防止する。図１から図３は、ロック装置１０が、レバー３１０、レバー３２０、及びレバー３３０のＯＮ位置とＯＦＦ位置との間の切替を選択的に防止する場合を例示している。
【００１３】
ロック装置１０が対象とする３つ以上のレバーは、任意の用途のものであってよい。例えば、３つ以上のレバーは、それぞれ異なる系統の電源ブレーカのＯＮ／ＯＦＦを切り替えるためのものである。ロック装置１０が３つ以上のレバーのうちの１つ以外のレバーについてＯＦＦ位置からＯＮ位置への切替を防止することによって、同時に複数の電源ブレーカがＯＮになることを防ぐことができる。
【００１４】
例えば、３つのレバーのうちの１つが主電源に対応し、残りの２つが予備電源及び補助電源等に対応する場合において、２つ以上のレバーが同時にＯＮ位置に切り替えられると、供給電源が過剰になって不具合が発生する場合がある。本実施形態に係るロック装置１０によれば、そのような事態の発生を防止することができる。すなわち、例えば、主電源と、予備電源又は補助電源とが同時に投入されることを防止することによって、不具合の発生を防止することができる。なお、３つ以上のレバーが対応する電源としては、電力網、各種発電機、及び移動電源車等が例示できる。
【００１５】
ロック装置１０は、スライド部材１００、基台２０２、及び基台２０４を備える。スライド部材１００は、基台２０２及び基台２０４に対してスライド可能に取り付けられている。
【００１６】
基台２０２及び基台２０４は、レバー３１０、レバー３２０、及びレバー３３０に対して固定的に設置される。例えば、レバー３１０、レバー３２０、及びレバー３３０が電源ブレーカのＯＮ／ＯＦＦを切り替えるためのものである場合、基台２０２及び基台２０４は、当該電源ブレーカに固定される。基台２０２及び基台２０４の固定は任意の手法で行われてよく、例えば、ねじ止め及び接着が用いられる。
【００１７】
スライド部材１００は、レバーのＯＦＦ位置からＯＮ位置への切替を防止するための少なくとも３つの突出部を有してよく、少なくとも３つの突出部のうち少なくとも１つは二又に構成されていてよい。図１に示す例では、スライド部材１００が、突出部１１０、突出部１２０、及び二又に構成された突出部１３０を有する。図１では、二又に構成された突出部１３０が突出部１１０と突出部１２０との間に配置された場合を例示しているが、これに限らず、突出部１３０は端に配置されてもよい。
【００１８】
スライド部材１００は、基台２０２に形成された開口２０３から突き出すノブ１０２と、基台２０４に形成された開口２０５から突き出すノブ１０４とを有してよい。スライド部材１００は、ノブ１０２及びノブ１０４の少なくともいずれかを操作することによって、基台２０２及び基台２０４に対してスライドされる。
【００１９】
ロック装置１０は、スライド部材１００をスライドすることによって、レバー３１０、レバー３２０、及びレバー３３０のうち、レバー３１０のみＯＮ位置とＯＦＦ位置との間の切替を可能とし、突出部１２０及び突出部１３０によってレバー３２０及びレバー３３０のＯＦＦ位置からＯＮ位置への切替を防止する第１状態と、レバー３１０、レバー３２０、及びレバー３３０のうち、レバー３２０のみＯＮ位置とＯＦＦ位置との間の切替を可能とし、突出部１１０及び突出部１３０によってレバー３１０及びレバー３３０のＯＦＦ位置からＯＮ位置への切替を防止する第２状態と、レバー３１０、レバー３２０、及びレバー３３０のうち、レバー３３０のみＯＮ位置とＯＦＦ位置との間の切替を可能とし、突出部１１０及び突出部１２０によってレバー３１０及びレバー３２０のＯＦＦ位置からＯＮ位置への切替を防止する第３状態とが切り替わる。図１が第１状態を例示し、図２が第２状態を例示し、図３が第３状態を例示している。
【００２０】
突出部１１０は第１突出部の一例であってよく、突出部１２０は第２突出部の一例であってよく、突出部１３０は第３突出部の一例であってよい。また、レバー３１０は第１レバーの一例であってよく、レバー３２０は第２レバーの一例であってよく、レバー３３０は第３レバーの一例であってよい。
【００２１】
図１から図３に示す例では、突出部１１０の幅はレバー３１０の幅の２倍以上である。突出部１１０の幅は、例えばレバー３１０の幅の２倍であってよい。また、突出部１２０の幅はレバー３２０の幅の２倍以上である。突出部１２０の幅は、例えばレバー３２０の幅の２倍であってよい。
【００２２】
また、図１から図３に示す例では、突出部１３０の二又の間隔はレバー３３０の幅より広く、二又のそれぞれの幅はレバー３３０の幅以上である。二又のそれぞれの幅はレバー３３０の幅と同一であってもよい。
【００２３】
第２状態及び第３状態において、突出部１１０は、レバー３１０の全幅に当接することによってレバー３１０のＯＦＦ位置からＯＮ位置への切替を防止する。第１状態及び第２状態において、突出部１２０は、レバー３２０の全幅に当接することによってレバー３２０のＯＦＦ位置からＯＮ位置への切替を防止する。第１状態及び第３状態において、突出部１３０は、レバー３３０の全幅に当接することによってレバー３３０のＯＦＦ位置からＯＮ位置への切替を防止する。
【００２４】
図１から図３では、ロック装置１０が２つの基台２０２、基台２０４を備える例を挙げて説明したが、これに限らない。ロック装置１０は、基台２０２及び基台２０４のいずれか一方のみを備えてもよい。
【００２５】
異なる３つの系統の電源ブレーカのうち２つ以上が同時に有効になることを防止する目的を達成する手段として、マグネットコンダクタ及びシーケンス回路を用いることもできる。しかし、本実施形態に係るロック装置１０によれば、これらを用いることなく機械的な構成によって容易に目的を達成することができるので、コスト低減に貢献することができる。
【００２６】
図４、図５、及び図６は、ロック装置１０の他の一例を概略的に示す。図４から図６に示すロック装置１０と図１から図３に示すロック装置１０とは、突出部１１０の幅、突出部１２０の幅、及び突出部１３０の二又のそれぞれの幅が異なる。ここでは、図１から図３に示すロック装置１０とは異なる点を主に説明する。
【００２７】
突出部１１０の幅はレバー３１０の幅以下であってよい。突出部１２０の幅はレバー３２０の幅以下であってよい。突出部１３０の二又のそれぞれの幅はレバー３３０の幅以下であってよい。図４から図６では、突出部１１０の幅がレバー３１０の幅の半分であり、突出部１２０の幅がレバー３２０の幅の半分であり、突出部１３０の二又のそれぞれの幅がレバー３３０の幅の半分である場合を例示している。
【００２８】
第２状態及び第３状態において、突出部１１０は、レバー３１０の全幅の一部に当接することによってレバー３１０のＯＦＦ位置からＯＮ位置への切替を防止する。第１状態及び第２状態において、突出部１２０は、レバー３２０の全幅の一部に当接することによってレバー３２０のＯＦＦ位置からＯＮ位置への切替を防止する。第１状態及び第３状態において、突出部１３０は、レバー３３０の全幅の一部に当接することによってレバー３３０のＯＦＦ位置からＯＮ位置への切替を防止する。
【００２９】
図４から図６では、突出部１１０の幅がレバー３１０の幅の半分であり、突出部１２０の幅がレバー３２０の幅の半分であり、突出部１３０の二又のそれぞれの幅がレバー３３０の幅の半分である場合を例示したが、これに限らない。第１状態においてレバー３２０及びレバー３３０のＯＦＦ位置からＯＮ位置への切替を防止でき、第２状態においてレバー３１０及びレバー３３０のＯＦＦ位置からＯＮ位置への切替を防止でき、第３状態において、レバー３１０及びレバー３２０のＯＦＦ位置からＯＮ位置への切替を防止できれば、突出部１１０の幅はレバー３１０の幅以下の任意の幅であってよく、突出部１２０の幅はレバー３２０の幅以下の任意の幅であってよく、突出部１３０の二又のそれぞれの幅はレバー３３０の幅以下の任意の幅であってよい。
【００３０】
図７及び図８は、スライド部材１００の他の一例を概略的に示す。図７及び図８に示すスライド部材１００は、突出部１１０、突出部１２０、及び突出部１３０の間隔を変更可能に構成されている。
【００３１】
スライド部材１００は、突出部１１０を有するスライド部１５１と、突出部１２０を有するスライド部１５２と、突出部１３０を有するスライド部１５３とを含む。スライド部１５１、スライド部１５２、及びスライド部１５３のそれぞれは、複数の孔１５５を含む。
【００３２】
スライド部１５１とスライド部１５３とは、複数の孔１５５のうちのそれぞれの２つの孔１５５を用いて固定されてよい。例えば、スライド部１５１とスライド部１５３とは、それぞれの２つの孔１５５によってねじ止めされることによって固定される。スライド部１５１とスライド部１５３との固定手法は、ねじ止め以外の任意の手法が用いられてもよい。スライド部１５１とスライド部１５３との相対的な位置を変更することによりスライド部材１００が伸縮し、それによって突出部１１０と突出部１３０との間隔が変化する。
【００３３】
スライド部１５２とスライド部１５３とは、複数の孔１５５のうちのそれぞれの２つの孔１５５を用いて固定されてよい。例えば、スライド部１５２とスライド部１５３とは、それぞれの２つの孔１５５によってねじ止めされることによって固定される。スライド部１５２とスライド部１５３との固定手法は、ねじ止め以外の任意の手法が用いられてもよい。スライド部１５２とスライド部１５３との相対的な位置を変更することによりスライド部材１００が伸縮し、それによって突出部１２０と突出部１３０との間隔が変化する。
【００３４】
図７及び図８に示すように、スライド部材１００が、突出部１１０、突出部１２０、及び突出部１３０の間隔を変更可能に構成されることによって、任意の間隔のレバー３１０、レバー３２０、及びレバー３３０に対して、容易にロック装置１０を適用可能にすることができる。
【００３５】
なお、図７及び図８では、複数の孔１５５によって、スライド部１５１とスライド部１５３、スライド部１５２とスライド部１５３を相対的に移動して固定することによって、突出部１１０、突出部１２０、及び突出部１３０の間隔を変更可能に構成する例を挙げて説明したが、これに限らない。スライド部１５１、スライド部１５２、及びスライド部１５３が複数の孔１５５を含まず、レール構造等、他の構成を含むことによって、突出部１１０、突出部１２０、及び突出部１３０の間隔を変更可能に構成してもよい。
【００３６】
図９は、スライド部材１００の他の一例を概略的に示す。図９に示すスライド部材１００は、着脱可能な複数の突出部１６０を有する。図９は、複数の突出部１６０が、複数の孔１６５によってスライド部材１００に着脱可能に構成された例を示す。複数の孔１６５を用いたスライド部材１００への複数の突出部１６０の着脱は、ねじ止めによって行われてよい。また、ねじ止め以外の任意の手法が用いられてもよい。図９に示すスライド部材１００は、様々な位置に孔１６５を含み、複数の突出部１６０を分離して、スライド部材１００の異なる位置に結合可能に構成されている。
【００３７】
図９では、２つの突出部１６０によって突出部１１０が形成され、２つの突出部１６０によって突出部１２０が形成され、２つの突出部１６０によって突出部１３０が形成されている例を示す。このように、本実施形態に係るスライド部材１００によれば、突出部１１０、突出部１２０、及び突出部１３０を任意の位置に形成でき、これにより、突出部１１０、突出部１２０、及び突出部１３０の間隔が変更可能である。
【００３８】
図１０は、スライド部材１００の他の一例を概略的に示す。ここでは、図９と異なる点を主に説明する。図１０に示すスライド部材１００は、複数の突出部１６０と、突出部１６０とは長さが異なる複数の突出部１６２とを有する。
【００３９】
長さの異なる突出部１６０及び突出部１６２を着脱可能に構成することによって、レバー３１０、レバー３２０、及びレバー３３０が一列に沿って配置されていない場合であっても、容易にロック装置１０を適用可能にすることができる。なお、スライド部材１００はさらに、図１０に示す突出部１６０及び突出部１６２とは長さの異なる他の突出部を着脱可能に有してもよい。
【００４０】
図１１及び図１２は、突出部１１０の他の一例を概略的に示す。図１１及び図１２に示す突出部１１０は、スライド部材１００から突出する方向に沿った長さが変更可能に構成されている。
【００４１】
突出部１１０は、突出部材１１２及び突出部材１１４を有する。突出部材１１２及び突出部材１１４のそれぞれは、複数の孔１１５を含む。
【００４２】
突出部材１１２と突出部材１１４とは、複数の孔１１５のうちのそれぞれの２つの孔１１５を用いて固定されてよい。例えば、突出部材１１２と突出部材１１４とは、それぞれの２つの孔１１５によってねじ止めされることによって固定される。突出部材１１２と突出部材１１４との固定手法は、ねじ止め以外の任意の手法が用いられてもよい。突出部材１１２と突出部材１１４との相対的な位置を変更することにより、突出部１１０がスライド部材１００から突出する方向に伸縮することによって、突出部１１０の長さが変化する。
【００４３】
図１１及び図１２では、複数の孔１１５により、突出部材１１２と突出部材１１４を相対的に移動して固定することによって、突出部１１０の長さを変更可能に構成する例を挙げて説明したが、これに限らない。突出部材１１２及び突出部材１１４が複数の孔１１５を含まず、レール構造等、他の構成を含むことによって、突出部材１１２と突出部材１１４とを相対的に移動して固定してもよい。
【００４４】
突出部１２０及び突出部１３０も、突出部１１０と同様の構成を有することにより、スライド部材１００から突出する方向に伸縮することによって長さが変化してよい。
【００４５】
図１１及び図１２に示すように、突出部１１０、突出部１２０、及び突出部１３０の長さが変化することによって、レバー３１０、レバー３２０、及びレバー３３０が一列に沿って配置されていない場合であっても、容易にロック装置１０を適用可能にすることができる。
【００４６】
図１３は、ロック装置１０の他の一例を概略的に示す。図１３は、ロック装置１０が、レバー３１０、レバー３２０、レバー３３０、及びレバー３４０のＯＮ位置とＯＦＦ位置との間の切替を選択的に防止する場合を例示している。
【００４７】
図１３に示すロック装置１０が備えるスライド部材１００は、突出部１１０、突出部１２０、二又に構成された突出部１３０、及び二又に構成された突出部１４０を有する。ここでは、図１から図３に示すロック装置１０とは異なる点を主に説明する。
【００４８】
図１３に示すロック装置１０は、スライド部材１００をスライドすることによって、レバー３１０、レバー３２０、レバー３３０、及びレバー３４０のうち、レバー３１０のみＯＮ位置とＯＦＦ位置との間の切替を可能とし、突出部１２０、突出部１３０、及び突出部１４０によってレバー３２０、レバー３３０、及びレバー３４０のＯＦＦ位置からＯＮ位置への切替を防止する第１状態と、レバー３１０、レバー３２０、レバー３３０、及びレバー３４０のうち、レバー３２０のみＯＮ位置とＯＦＦ位置との間の切替を可能とし、突出部１１０、突出部１３０、及び突出部１４０によってレバー３１０、レバー３３０、及びレバー３４０のＯＦＦ位置からＯＮ位置への切替を防止する第２状態と、レバー３１０、レバー３２０、レバー３３０、及びレバー３４０のうち、レバー３３０のみＯＮ位置とＯＦＦ位置との間の切替を可能とし、突出部１１０、突出部１２０、及び突出部１４０によってレバー３１０、レバー３２０、及びレバー３４０のＯＦＦ位置からＯＮ位置への切替を防止する第３状態と、レバー３１０、レバー３２０、レバー３３０、及びレバー３４０のうち、レバー３４０のみＯＮ位置とＯＦＦ位置との間の切替を可能とし、突出部１１０、突出部１２０、及び突出部１３０によってレバー３１０、レバー３２０、及びレバー３３０のＯＦＦ位置からＯＮ位置への切替を防止する第４状態とが切り替わる。
【００４９】
図１３に示すように、本実施形態に係るロック装置１０は、４つのレバーのうちの１つのみのＯＮ位置とＯＦＦ位置との切替を可能とし、他のレバーのＯＦＦ位置からＯＮ位置への切替を防止することもできる。同様に、本実施形態に係るロック装置１０は、スライド部材１００の突出部の数を増加させることによって、５つ以上のレバーのうちの１つのみのＯＮ位置とＯＦＦ位置との切替を可能とし、他のレバーのＯＦＦ位置からＯＮ位置への切替を防止することもできる。
【００５０】
図１４、図１５、及び図１６は、ロック装置１０の他の一例を概略的に示す。図１４から図１６に示すロック装置１０と図１から図３に示すロック装置１０とは、基台２０２が窪み部２２２、窪み部２２４、及び窪み部２２６を有し、基台２０４が窪み部２４２、窪み部２４４、及び窪み部２４６を有する点で異なる。ここでは、図１から図３に示すロック装置１０とは異なる点を主に説明する。
【００５１】
窪み部２２２、窪み部２２４、及び窪み部２２６は、基台２０２の開口２０３から下方向に延びていてよい。窪み部２２２、窪み部２２４、及び窪み部２２６は、ノブ１０２が挿入可能であってよい。窪み部２２２、窪み部２２４、及び窪み部２２６は、ノブ１０２の一部を挿入可能であってよく、また、ノブ１０２の全体を挿入可能であってもよい。窪み部２２２は第１窪み部の一例であってよい。窪み部２２４は、第２窪み部の一例であってよい。窪み部２２６は、第３窪み部の一例であってよい。
【００５２】
窪み部２４２、窪み部２４４、及び窪み部２４６は、基台２０４の開口２０５から下方向に延びていてよい。窪み部２４２、窪み部２４４、及び窪み部２４６は、ノブ１０４が挿入可能であってよい。窪み部２４２、窪み部２４４、及び窪み部２４６は、ノブ１０４の一部を挿入可能であってよく、また、ノブ１０４の全体を挿入可能であってもよい。
【００５３】
ロック装置１０は、ノブ１０２及びノブ１０４がそれぞれ窪み部２２２及び窪み部２４２に挿入されることによって第１状態となる。また、ロック装置１０は、ノブ１０２及びノブ１０４の窪み部２２２及び窪み部２４２への挿入が解除されて、ノブ１０２及びノブ１０４がそれぞれ開口２０３及び開口２０５をスライドして、ノブ１０２及びノブ１０４がそれぞれ窪み部２２４及び窪み部２４４に挿入されることによって第２状態となる。また、ロック装置１０は、ノブ１０２及びノブ１０４の窪み部２２４及び窪み部２４４への挿入が解除されて、ノブ１０２及びノブ１０４がそれぞれ開口２０３及び開口２０５をスライドして、ノブ１０２及びノブ１０４がそれぞれ窪み部２２６及び窪み部２４６に挿入されることによって第３状態となる。
【００５４】
このような構成とすることによって、例えば、ロック装置１０が第１状態であるときに、窪み部２２２及び窪み部２４２によってスライド部材１００が移動してしまうことを防止でき、不用意に第１状態が解除されてしまうことを防止できる。また、例えば、ロック装置１０が第２状態であるときに、窪み部２２４及び窪み部２４４によってスライド部材１００が移動してしまうことを防止でき、不用意に第２状態が解除されてしまうことを防止できる。また、例えば、ロック装置１０が第３状態であるときに、窪み部２２６及び窪み部２４６によってスライド部材１００が移動してしまうことを防止でき、不用意に第３状態が解除されてしまうことを防止できる。
【００５５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５６】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００５７】
１０  ロック装置、１００  スライド部材、１０２  ノブ、１０４  ノブ、１１０  突出部、１１２  突出部材、１１４  突出部材、１１５  孔、１２０  突出部、１３０  突出部、１４０  突出部、１５１  スライド部、１５２  スライド部、１５３  スライド部、１５５  孔、１６０  突出部、１６２  突出部、１６５  孔、２０２  基台、２０３  開口、２０４  基台、２０５  開口、２２２  窪み部、２２４  窪み部、２２６  窪み部、２４２  窪み部、２４４  窪み部、２４６  窪み部、３１０  レバー、３２０  レバー、３３０  レバー、３４０  レバー
【図１】
2019057379.tif 000003
【図２】
2019057379.tif 000004
【図３】
2019057379.tif 000005
【図４】
2019057379.tif 000006
【図５】
2019057379.tif 000007
【図６】
2019057379.tif 000008
【図７】
2019057379.tif 000009
【図８】
2019057379.tif 000010
【図９】
2019057379.tif 000011
【図１０】
2019057379.tif 000012
【図１１】
2019057379.tif 000013
【図１２】
2019057379.tif 000014
【図１３】
2019057379.tif 000015
【図１４】
2019057379.tif 000016
【図１５】
2019057379.tif 000017
【図１６】
2019057379.tif 000018
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
基台と、
前記基台に対してスライド可能に取り付けられたスライド部材と
を備え、
前記スライド部材は、レバーのＯＦＦ位置からＯＮ位置への切替を防止するための少なくとも３つの突出部を有し、
前記少なくとも３つの突出部は、第１突出部、第２突出部、及び二又に構成された第３突出部を含み、
前記スライド部材をスライドすることによって、
第１レバー、第２レバー、及び第３レバーのうち、前記第１レバーのみＯＮ位置とＯＦＦ位置との間の切替を可能とし、前記第２突出部及び前記第３突出部によって前記第２レバー及び前記第３レバーのＯＦＦ位置からＯＮ位置への切替を防止する第１状態と、
前記第１レバー、前記第２レバー、及び前記第３レバーのうち、前記第２レバーのみＯＮ位置とＯＦＦ位置との間の切替を可能とし、前記第１突出部及び前記第３突出部によって前記第１レバー及び前記第３レバーのＯＦＦ位置からＯＮ位置への切替を防止する第２状態と、
前記第１レバー、前記第２レバー、及び前記第３レバーのうち、前記第３レバーのみＯＮ位置とＯＦＦ位置との間の切替を可能とし、前記第１突出部及び前記第２突出部によって前記第１レバー及び前記第２レバーのＯＦＦ位置からＯＮ位置への切替を防止する第３状態とが切り替わり、
前記第１突出部の幅は前記第１レバーの幅と同一であり、前記第２状態及び前記第３状態において、前記第１突出部は、前記第１レバーの全幅の一部に当接することによって前記第１レバーのＯＦＦ位置からＯＮ位置への切替を防止する、
ロック装置。
【請求項２】
基台と、
前記基台に対してスライド可能に取り付けられたスライド部材と
を備え、
前記スライド部材は、レバーのＯＦＦ位置からＯＮ位置への切替を防止するための少なくとも３つの突出部を有し、
前記少なくとも３つの突出部は、第１突出部、第２突出部、及び二又に構成された第３突出部を含み、
前記スライド部材をスライドすることによって、
第１レバー、第２レバー、及び第３レバーのうち、前記第１レバーのみＯＮ位置とＯＦＦ位置との間の切替を可能とし、前記第２突出部及び前記第３突出部によって前記第２レバー及び前記第３レバーのＯＦＦ位置からＯＮ位置への切替を防止する第１状態と、
前記第１レバー、前記第２レバー、及び前記第３レバーのうち、前記第２レバーのみＯＮ位置とＯＦＦ位置との間の切替を可能とし、前記第１突出部及び前記第３突出部によって前記第１レバー及び前記第３レバーのＯＦＦ位置からＯＮ位置への切替を防止する第２状態と、
前記第１レバー、前記第２レバー、及び前記第３レバーのうち、前記第３レバーのみＯＮ位置とＯＦＦ位置との間の切替を可能とし、前記第１突出部及び前記第２突出部によって前記第１レバー及び前記第２レバーのＯＦＦ位置からＯＮ位置への切替を防止する第３状態とが切り替わり、
前記第１突出部の幅は前記第１レバーの幅よりも狭く、前記第２状態及び前記第３状態において、前記第１突出部は、前記第１レバーの全幅の一部に当接することによって前記第１レバーのＯＦＦ位置からＯＮ位置への切替を防止する、
ロック装置。
【請求項３】
前記第３突出部の前記二又の間隔は、前記第３レバーの幅より広い、請求項１又は２に記載のロック装置。
【請求項４】
前記第１レバー、前記第２レバー、及び前記第３レバーは、異なる系統の電源ブレーカのＯＮ／ＯＦＦを切り替えるレバーである、請求項１から３のいずれか一項に記載のロック装置。
【請求項５】
前記スライド部材は、前記基台に形成された開口から突き出すノブを有し、
前記基台は、前記開口から延びる第１窪み部、第２窪み部、及び第３窪み部を有し、
前記ロック装置は、前記ノブが前記第１窪み部に挿入されることによって前記第１状態となり、前記ノブが前記第２窪み部に挿入されることによって前記第２状態となり、前記ノブが前記第３窪み部に挿入されることによって前記第３状態となる、請求項１から４のいずれか一項に記載のロック装置。
【請求項６】
基台と、
前記基台に対してスライド可能に取り付けられたスライド部材と
を備え、
前記スライド部材は、レバーのＯＦＦ位置からＯＮ位置への切替を防止するための少なくとも３つの突出部を有し、
前記少なくとも３つの突出部のうち少なくとも１つは二又に構成されており、
前記スライド部材は、前記少なくとも３つの突出部の間隔を変更可能に構成されており、
前記スライド部材は、前記少なくとも３つの突出部を分離して、前記スライド部材の異なる位置に結合可能に構成されている、
ロック装置。
【請求項７】
基台と、
前記基台に対してスライド可能に取り付けられたスライド部材と
を備え、
前記スライド部材は、レバーのＯＦＦ位置からＯＮ位置への切替を防止するための少なくとも３つの突出部を有し、
前記少なくとも３つの突出部のうち少なくとも１つは二又に構成されており、
前記少なくとも３つの突出部は、前記スライド部材から突出する方向に沿った長さが変更可能に構成されている、
ロック装置。
【請求項８】
前記少なくとも３つの突出部は、前記スライド部材から突出する方向に伸縮することによって前記長さが変化する、請求項７に記載のロック装置。
【請求項９】
前記スライド部材は、前記少なくとも３つの突出部を分離して、前記少なくとも３つの突出部とは異なる長さの突出部を結合可能に構成されている、請求項７に記載のロック装置。